(57)【特許請求の範囲】
【請求項１】
シート状の原稿を搬送する原稿搬送手段と、画像読み取り位置で原稿を支持する透明部材と、前記透明部材に対向する位置に配置され、前記透明部材上の前記原稿に照明手段から光照射し、前記画像読み取り位置において前記原稿の画像を読み取る読み取り手段と、前記透明部材に対向して前記照明手段及び読み取り手段と反対側の位置に設けられ、回転することにより前記原稿を搬送する回転体と、を備え、前記原稿を搬送しながら読み取り、原稿を搬送しない状態で前記回転体を回転させながら前記読み取り手段の画像の読み取りに基づいて前記透明部材上のゴミを検知したときに前記画像読み取り位置を移動可能な画像読み取り装置において、
前記原稿を搬送しながら前記読み取り手段によって前記原稿を読み取るときに前記照明手段から照射された光が前記原稿を透過し、透過した光を該原稿の裏面から反射するための、可撓性を有する白色シートである反射部材を有し、
前記反射部材は、前記回転体の回転中心直下よりも前記回転体が前記原稿を搬送する方向に対して上流側のシート搬送路を形成する案内部材に取り付けられ、
前記画像読取位置は、前記回転体の回転中心直下と前記反射部材の前記回転体側の先端との間、かつ、前記回転体により前記原稿が搬送されていないときには前記回転体の表面が前記読取手段により読み取られる位置に設定されていることを特徴とする画像読み取り装置。
【請求項２】
前記反射部材は、前記透明部材と平行に配置されていることを特徴とする請求項１記載の画像読み取り装置。
【請求項３】
前記反射部材は、前記透明部材との距離が、前記回転体に近づくにしたがって大きくなるように配置されていることを特徴とする請求項１又は請求項２記載の画像読み取り装置。
【請求項４】
シート状の原稿を搬送する原稿搬送手段を備え、前記原稿を搬送しながら読み取る画像読み取り装置で読み取った情報を記録媒体に記録する画像形成装置において、
請求項１乃至請求項３のいずれか１項に記載の画像読み取り装置と、
前記記録媒体に前記画像読み取り装置で読み取った情報を記録するための画像形成手段と、
を有することを特徴とする画像形成装置。
【発明の詳細な説明】
【０００１】
【発明の属する技術分野】
本発明は、複写機、スキャナ、ファクシミリ装置等の、画像読み取り装置に関し、特に、シート状の原稿を画像読み取り部に自動的に搬送するシート搬送装置を備えた画像読み取り装置及びこれを備えた画像形成装置に関するものである。
【０００２】
【従来の技術】
従来、デジタル複写機、プリンタ、ファクシミリ等に設けられた画像読み取り装置には、シート状の原稿を画像読み取り装置に自動給送するため、原稿自動搬送装置（以下、ＡＤＦ「Auto Document Feeder」という）を開閉自在に備えたものがある。
【０００３】
ＡＤＦを備えた画像読み取り装置による読み取り方法の１つとして、画像読み取り装置に備えられたプラテンガラスの所定の読み取り位置に画像読み取り手段を固定し、この読み取り位置上で原稿を一定の速度で移動させることにより、画像を読み込む（以下「流し読み」という）方式が知られている。この流し読みは、大量のシート状の原稿を高速に処理する読み取り方法として、多くの製品で用いられている技術である。
【０００４】
流し読みにおいて、高速で安定した画像読み取りを行うためには、ピンボケや原稿のばたつきによる画像ブレを防止するため、読み取り位置において、原稿がプラテンガラスから浮き上がるのを防止する必要がある。その方法として、流し読み位置において、プラテンガラスに対して所定の間隔を隔てて回転駆動されるプラテンローラを設ける方法が用いられている。プラテンローラを用いた流し読みは、流し読み位置において、ガイド板等の固定部材により原稿の浮き上がりを抑える方法に比べて、浮き上がり量を小さく制限しつつ、搬送負荷を減らすことができ、より高速で高品位な画像読み取りが可能となる。
【０００５】
図９に従来の画像読み取り装置の一例を示す。図９の画像読み取り装置は、原稿を載置固定して読み込む（以下「ブック読み」という）方式用の原稿台ガラス100と、流し読み方式用の流し読みガラス101、さらに、両方の読み取り方法で共用される画像読み取り手段であるコンタクト・イメージ・センサ等の読み取りセンサ102を備えている。
【０００６】
流し読み方式においては、プラテンローラ104が流し読みガラス101の上面に対して所定の間隔を隔てて配置され、所定の速度で回転駆動される。これにより、流し読み時に、流し読みガラス101上面からの原稿の浮き量を制限しながら、安定した原稿の搬送を実現している。
【０００７】
【発明が解決しようとする課題】
プラテンローラ104を用いた流し読みにおいて、読み取り位置、すなわち読み取りセンサ102の停止位置が、プラテンローラに対してばらつく場合、読み取られた画像の輝度レベルがばらつくという問題がある。この現象の原因は、図10に示した従来の画像読み取り装置の模式図により説明される。
【０００８】
図10は、照明手段105から照射した光の経路を、(a)に示すブック読み方式時と、(b)に示す流し読み方式時について示している。ここでは説明のため、片側の照明手段から照射され、原稿を透過した光の経路を、二点鎖線により模式的に示してある。また、流し読み方式時の読み取り位置は、プラテンローラ104の中心直下より、原稿搬送方向の上流側にずれた場合について示している。
【０００９】
図10(a)に示すブック読み方式の場合、原稿106を透過した光は、原稿106を原稿台ガラス100に押圧する白色圧板107により、読み取りセンサ102の方向に反射され、原稿裏面を照射する。これに対し、図10(b)に示す流し読み方式の場合、原稿106を透過した光は白色のプラテンローラ104により反射されるが、その一部はプラテンローラ104の曲率により読み取りセンサ102から離れる方向へ反射されてしまう。
【００１０】
このため、原稿106を裏面から照射する光量が低下し、原稿からの反射光をレンズ108を介してイメージセンサ109で読み取る場合の輝度が低下してしまう。読み取り位置がプラテンローラ104の中心直下から離れるに従い、読み取りセンサ102の方向に反射される光量も低下するため、同一の原稿を読み取っても画像の輝度がより低下することになる。また、原稿106の光透過性が高いほどこの現象の影響が大きいため、原稿106のシートの厚さが薄いほど、輝度の低下が顕著となる。
【００１１】
この輝度の低下の影響を受けずに画像読み取りを行うためには、読み取りセンサ102を、ブック読みと略同等の輝度が得られるプラテンローラ104の回転中心直下に、正確に位置決めする必要がある。
【００１２】
しかし、読み取りセンサ102の停止位置精度や、開閉自在に取り付けられたＡＤＦ103のヒンジ部のガタ等により、読み取りセンサ102をプラテンローラ104に対して正確に位置決めすることは困難である。
【００１３】
また、流し読みガラス101表面の、プラテンローラ104の中心直下や、原稿搬送方向の下流側には、ゴミが付着しやすく、読み取り位置にゴミが付着している場合、画像上のスジとなってしまうという問題がある。このため、読み取り位置は、プラテンローラ104中心直下より、わずかに上流方向に設定することが望ましい。
【００１４】
さらに、流し読みガラス101上のゴミによるスジ画像の発生を防止するため、原稿を搬送していない状態でプラテンローラ104を回転させながら、流し読みの読み取り位置で画像読み取りを行い、流し読みガラス101上のゴミとプラテンローラ104表面のゴミを判別し、流し読みガラス101上のゴミを検知した場合には、読み取り位置を移動させる方法が提案されている。このようなスジ画像防止の動作を行う場合は、流し読みの読み取り位置は必然的に移動することになる。
【００１５】
以上説明したように、流し読みの読み取り位置は、部品精度の影響や、スジ画像発生を防止する動作のために、プラテンローラ104に対して、常に同じ位置に位置決めすることは困難で、この場合、前述した輝度のばらつきが発生してしまう。
【００１６】
本発明は従来の上記課題を解決するものであり、その目的は、読み取り位置がばらついた場合でも、画像の輝度の変化が少ない安定した画像読み取りを可能とした画像読み取り装置及びこれを有する画像形成装置を提供するものである。
【００１７】
【課題を解決するための手段】
上記目的を達成するための本発明に係る代表的な構成は、シート状の原稿を搬送する原稿搬送手段と、画像読み取り位置で原稿を支持する透明部材と、前記透明部材に対向する位置に配置され、前記透明部材上の前記原稿に照明手段から光照射し、前記画像読み取り位置において前記原稿の画像を読み取る読み取り手段と、前記透明部材に対向して前記照明手段及び読み取り手段と反対側の位置に設けられ、回転することにより前記原稿を搬送する回転体と、を備え、前記原稿を搬送しながら読み取り、原稿を搬送しない状態で前記回転体を回転させながら前記読み取り手段の画像の読み取りに基づいて前記透明部材上のゴミを検知したときに前記画像読み取り位置を移動可能な画像読み取り装置において、
前記原稿を搬送しながら前記読み取り手段によって前記原稿を読み取るときに前記照明手段から照射された光が前記原稿を透過し、透過した光を該原稿の裏面から反射するための、可撓性を有する白色シートである反射部材を有し、前記反射部材は、前記回転体の回転中心直下よりも前記回転体が前記原稿を搬送する方向に対して上流側のシート搬送路を形成する案内部材に取り付けられ、前記画像読取位置は、前記回転体の回転中心直下と前記反射部材の前記回転体側の先端との間、かつ、前記回転体により前記原稿が搬送されていないときには前記回転体の表面が前記読取手段により読み取られる位置に設定されていることを特徴とする。
【００１８】
【発明の実施の形態】
以下に図面を参照して、本発明の実施の形態を説明する。
【００１９】
〔第１実施形態〕
図１乃至図５を参照して本発明の第１実施形態に係る画像読み取り装置について説明する。なお、図１は画像読み取り装置の流し読み部の詳細断面説明図であり、図２は画像読み取り装置の全体断面説明図、図３は反射部材による輝度変動防止効果を示す模式説明図であり、図４及び図５は流し読みの読み取り位置と、原稿白地部輝度の関係を示すグラフである。
【００２０】
｛画像読み取り装置の全体構成｝
本実施形態に係る画像読み取り装置Ａは、図２に示すように、画像読み取り部１の上部に原稿自動搬送装置であるＡＤＦ２が搭載されている。
【００２１】
前記画像読み取り部１は原稿をブック読み方式、流し読み方式のいずれでも読み取ることができるようになっている。すなわち、画像読み取り部１の上面にはブック読み用の原稿台ガラス３が設けられており、その原稿台ガラス３の一方端部側には流し読み用の原稿を支持する透明部材としての流し読みガラス４が設けられている。
【００２２】
また、前記ガラスの下方には原稿に記載された画像を読み取るための読み取り手段５が設けられている。この読み取り手段５は、ガラス上の原稿に光照射するキセノン管等の照明手段６、原稿からの反射光を結像させるセルフォックレンズ７、さらに、セルフォックレンズ７の結像位置に配置されたコンタクト・イメージ・センサ８が、ケーシング９内に一体に収められている。そして、ケーシング９は摺動性の高い突き当て部材（図示せず）を介して原稿台ガラス３または流し読みガラス４に突き当てられ、読み取り手段５は原稿面から所定の距離をおいて配置されている。
【００２３】
一方、ＡＤＦ２は画像読み取り部１の上部にヒンジ等によって開閉自在に取り付けられ、原稿を画像読み取り部１へ供給するものであり、原稿載置部10に積載載置されたシート状の原稿を１枚ずつ搬送する原稿搬送手段としての給送ローラ11ａ及び搬送ローラ11ｂ〜11ｆ、流し読み時に流し読みガラス４から原稿が浮き上がるのを防止する回転体としてのプラテンローラ12、画像読み取り後の原稿を排出する原稿排出部13が設けられている。
【００２４】
ブック読み方式の場合、原稿台ガラス３上に置かれた原稿は、ＡＤＦ２に取り付けられた白色圧板14により固定され、読み取り手段５を所定の速度で副走査方向（図２の左右方向）に駆動しながら原稿を読み取る。なお、ブック読み方式時には、ＡＤＦ２は原稿を原稿台ガラス３上に固定する圧板として機能する。
【００２５】
流し読み方式の場合は、ＡＤＦ２の原稿載置部10に積載された原稿は、給送ローラ11ａにより給送され、搬送ローラ11ｂ，11ｃ，11ｄにより所定の速度でプラテンローラ12の下へと搬送される。原稿は、所定の回転数で回転するプラテンローラ12により流し読みガラス４上面からの浮き量を制限され、所定の読み取り位置で停止している読み取り手段５が、プラテンローラ12と流し読みガラス４上面間を搬送される原稿に対して照明手段６から光照射して画像の読み取りを行う。プラテンローラ12を通過した原稿は、ジャンプ台15により搬送ローラ11ｅ，11ｆへと導かれ、原稿排出部13へと排出される。
【００２６】
｛流し読み時の輝度変動防止構成｝
次に流し読み時の輝度変動を防止するための構成について説明する。本実施形態のＡＤＦ２には、図１に示すように、プラテンローラ12の原稿搬送方向の上流側に反射部材となる白色の可撓性シート部材16が設けられている。この白色シート部材16は、原稿をプラテンローラ12へガイドするガイド部材に対し、流し読みガラス４と略平行になるように取り付け配置されている。そして、白色シート部材16と流し読みガラス４との距離Ｃ2は、流し読みガラス４とプラテンローラ12表面との距離Ｃ1よりも大きく、かつ、流し読みガラス４とプラテンローラ12の回転中心との距離(Ｃ1＋Ｒ)よりも小さくなるように配置されている（Ｃ1＜Ｃ2＜Ｃ1＋Ｒ）。
【００２７】
また、シート部材16がプラテンローラ12に最も近接する先端位置17は、読み取り手段５による読み取り位置から前記回転体方向（読み取り方向）を見たとき、すなわち流し読みガラス４に垂直な下方向から上方に位置するプラテンローラ12および白色シート部材16を見たとき、白色シート部材16が読み取り手段５の主走査方向（プラテンローラ12の長手方向）の画像読み取り範囲の略全域において、プラテンローラ12の一部を隠すように配置されている。さらに、流し読み方式時の読み取り位置は、原稿が搬送されていない時には、プラテンローラ12の表面が読み取られる位置に設定されている。
【００２８】
本実施形態の白色シート部材16による輝度低下の防止効果は、図３に示した模式図により説明される。図３は、片側（本実施形態にあっては左側）の照明手段６から光照射され、その光が原稿を透過する光の経路を模式的に示してある。また、流し読み方式時の読み取り位置は、プラテンローラ12の回転中心直下より、原稿搬送方向の上流側にずれた位置に設定されている。
【００２９】
原稿18を透過した光は、白色シート部材16により読み取り手段５の方向に反射され、図10(b)に示した従来例の場合よりも、より多くの光が原稿18を裏面から照射していることがわかる。これにより、読み取り位置がプラテンローラ12中心直下から離れた場合の輝度低下が軽減される。
【００３０】
図４及び図５に、原稿を流し読みしたときの読み取り位置と、原稿白地部の輝度（０〜255レベル）との関係を測定した結果を示す。なお、図４は白色シート部材16を取り付けた本実施形態の場合の測定結果であり、図５は白色シート部材16を取り付けない場合の測定結果である。
【００３１】
白色シート部材16を設けない場合には、図５に示すように、読み取り位置がプラテンローラ12の回転中心直下から離れるに従い、原稿白地部の輝度が大きく低下している。これに対して、本実施形態のように白色シート部材16を設けた場合には、図４に示すように、輝度の低下は小さく、読み取り位置がばらついた場合でも、輝度の変化は実質的に問題の無いレベルに抑えられることがわかる。
【００３２】
そして、白色シート部材16と流し読みガラス４との距離Ｃ2が、流し読みガラス４とプラテンローラ12表面の間隔Ｃ1よりも大きく、かつ、流し読みガラス４とプラテンローラ12の回転中心との距離(Ｃ1＋Ｒ)よりも小さくなるように配置されているため、白色シート部材16はプラテンローラ12により規制された原稿18に接触することは無く、原稿18の搬送を阻害したり、原稿面を摺擦してゴミを発生したりすることは無く、照明手段６からの光を反射する。
【００３３】
また、本実施形態では読み取り手段５による読み取り位置から上方（プラテンローラ12の方向）を見たとき、読み取り領域の略全域において白色シート部材16がプラテンローラ12の一部を隠すように配置されているために、読み取り位置から照明手段６で光照射され、原稿を透過した光は確実に白色シート部材16又はプラテンローラ12によって反射するようになり、輝度の低下を生じない。
【００３４】
さらに、白色シート部材16を流し読みガラス４と平行に取り付けてあるために、原稿を透過した光はブック読みの場合の白色圧板14で反射する場合と同様に反射され、ブック読みと流し読みとで実質的に輝度の変化が生じない。
【００３５】
また、流し読み時の読み取り位置は、プラテンローラ12の回転中心直下と、白色シート部材16の先端17の間、すなわち、原稿が搬送されていない時にはプラテンローラ12の表面が読み取られる位置に設定されているため、流し読みガラス４上のゴミとプラテンローラ12上のゴミを判別して検知動作を行うことが可能で、スジの発生を防止した高品位な画像読み取りが行われる。さらに、前記読み取り位置をプラテンローラ12の回転中心よりも原稿搬送方向上流側に設定することにより、プラテンローラ12へゴミが付着し難くなっている。
【００３６】
〔第２実施形態〕
次に本発明に係る画像読み取り装置の第２実施形態について、図６及び図７を参照して説明する。なお、図６は流し読み部の詳細断面説明図であり、図７は輝度変動防止効果を示す模式説明図である。
【００３７】
本実施形態が前述した第１実施形態と異なる点は、第１実施形態では白色シート部材16を流し読みガラス４と平行に取り付けた例を示したが、本実施形態の白色シート部材16は、流し読みガラス４との距離が、プラテンローラ12に近づくにしたがい大きくなるように配置されていることである。他の構成は前述した第１実施形態と同様である。
【００３８】
すなわち、図６に示すように、白色シート部材16と流し読みガラス４との距離は原稿搬送方向上流側端部の距離Ｃ3よりも下流側端部の距離Ｃ4が大きくなるように白色シート部材16が斜めに取り付けられている。そして、白色シート部材16と流し読みガラス４との最小の距離Ｃ3は、流し読みガラス４とプラテンローラ12表面との距離Ｃ1より大きく、かつ、白色シート部材16と流し読みガラス４との最大の距離Ｃ4は、流し読みガラス４とプラテンローラ12中心との距離（Ｃ1＋Ｒ）より小さくなるように配置されている。
【００３９】
本実施形態の白色シート部材16による輝度低下の防止効果は、図７に示した模式図により説明される。図７は、片側の照明手段６から照射され、原稿を透過した光の経路を模式的に示してある。
【００４０】
原稿18を透過した光は、白色シート部材16により読み取り手段５の方向に反射される。本実施形態の白色シート部材は、流し読みガラス４に対して傾きをつけて配置されているため、原稿18を透過した光を読み取り手段５の方向に集光する効果を持ち、図３に示した第１実施形態の流し読み部よりも、より多くの光が原稿18を裏面から照射していることがわかる。これにより、読み取り位置がプラテンローラ12の回転中心直下から離れた場合の輝度低下がさらに軽減され、読み取り位置がばらついた場合でも、輝度の変化の少ない安定した画像読み取りが行われる。
【００４１】
なお、前記白色シート部材16は傾ける場合のみならず、照明手段６に対して凹曲面形状に構成すれば、該照明手段６からの光をより効果的に読み取り手段５へ集光するようになる。
【００４２】
〔第３実施形態〕
前述した実施形態は画像読み取り装置について説明したが、図８に示すように、画像読み取り装置Ａと画像記録装置Ｂとが一体的になった複写機等の画像形成装置Ｃにも本発明は適用することができる。
【００４３】
図８は画像形成装置の全体模式説明図であり、画像読み取り装置Ａは第１実施形態で説明した構成と同様である。画像記録装置Ｂは前記画像読み取り装置Ａで読み取った画像データ、あるいは他の画像読み取り装置から読み取られ伝送された画像データ等に基づいて画像記録するものである。
【００４４】
すなわち、画像記録信号を入力すると、シート収容部19ａ，19ｂ，19ｃ，19ｄ，トレイ19ｅにセットされた記録媒体のうち、いずれか選択された給送部20ａ，20ｂ，20ｃ，20ｄ，20ｅ及び搬送ローラ31が駆動して画像形成手段へと搬送して画像形成を行う。
【００４５】
画像形成手段は、感光体ドラム21と、感光体ドラム21の表面に均一な帯電を施すための帯電器22と、帯電器22により帯電された感光体ドラム21の表面に画像情報に応じて選択的に露光する露光手段23と、この露光手段23による露光によって感光体ドラム21に形成された静電潜像を現像して搬送された記録媒体に転写すべきトナー像を形成するための現像器24と、感光体ドラム21の表面に現像されたトナー像を記録媒体に転写するための転写帯電器25と、感光体ドラム21からトナー像が転写された記録媒体を分離するための分離帯電器26と、トナー像を転写した後に感光体ドラム21に残留したトナーを除去するためのクリーナ27とを備え、電子写真方式によって記録媒体へ画像形成する。
【００４６】
そして、画像形成された記録媒体は搬送部28によって定着器29へ搬送され、トナー像が加熱定着された後に排出トレイ30へと排出される。
【００４７】
このように、画像読み取り装置Ａと画像記録装置Ｂとを一体にして画像形成装置Ｃを構成することにより、前述した実施形態と同様、原稿を流し読むときに輝度変動を効果的に防止することで安定した画像読み取りを行うことができ、これに基づいて高品位の画像形成を高速で行うことができる。
【００４８】
〔他の実施形態〕
前述した実施形態では、画像読み取り手段にコンタクト・イメージ・センサを用いた例について説明しているが、折り返しミラーとＣＣＤを使用したものや、原稿からの反射光を折り返しミラーにより画像形成装置の感光体表面に導き、直接露光するタイプのものでも良い。
【００４９】
また、前述した実施形態では、流し読みガラス４上のゴミの影響を避けるため、読み取り位置をプラテンローラ12の回転中心直下に対して原稿搬送方向の上流側に設定し、上流側に白色シート部材16を設けた。しかし、流し読み位置をプラテンローラ12の回転中心直下を挟む両側に設定し、原稿搬送方向上流側と下流側に白色シート部材16を設けても良い。
【００５０】
さらに、前述した実施形態では反射部材として光を反射し易い白色のシート部材を用いたが、反射部材はこれに限定する必要はなく照明手段６による光を効果的に反射し得る部材であればよい。
【００５１】
【発明の効果】
本発明は前述したように、原稿を搬送しながら読み取り手段によって原稿を読み取るときに照明手段から照射された光を原稿の裏面から反射するための可撓性を有する白色シートで構成した反射部材を設けたために、原稿を透過した光は、画像読み取り手段の方向に反射されて原稿を裏面から照射するようになる。よって、流し読みの画像読取位置がばらついた場合でも、画像の輝度の変化が少ない安定した画像読み取りが可能となる。また、画像読取位置は、回転体の回転中心直下と反射部材の回転体側の先端との間、かつ、回転体により原稿が搬送されていないときには回転体の表面が読取手段により読み取られる位置に設定されているので、原稿が搬送されていないときは回転体の表面を読み取ってゴミ検知処理ができるとともに、粘着ゴミが付着しやすい回転体中心直下を避けて画像読取位置を設定することができる。
【図面の簡単な説明】
【図１】本発明の第１実施形態の画像読み取り装置の、流し読み部の詳細断面図である。
【図２】本発明の第１実施形態の画像読み取り装置の断面図である。
【図３】本発明の第１実施形態の画像読み取り装置の、輝度変動防止効果を示す模式図である。
【図４】本発明の第１実施形態の画像読み取り装置における、流し読みの読み取り位置と、原稿白地部輝度の関係を示すグラフである。
【図５】白色シート部材を設けなかったときの、流し読みの読み取り位置と、原稿白地部輝度の関係を示すグラフである。
【図６】本発明の第２実施形態の画像読み取り装置の、流し読み部の詳細断面図である。
【図７】本発明の第２実施形態の画像読み取り装置の、輝度変動防止効果を示す模式図である。
【図８】本発明の第３実施形態に係る画像形成装置の断面図である。
【図９】従来技術に係る画像読み取り装置の断面図である。
【図１０】従来技術に係る画像読み取り装置の、輝度変動要因を示す模式図である。
【符号の説明】
Ａ …画像読み取り装置
Ｂ …画像記録装置
Ｃ …画像形成装置
１ …画像読み取り部
２ …ＡＤＦ
３ …原稿台ガラス
４ …流し読みガラス
５ …読み取り手段
６ …照明手段
７ …セルフォックレンズ
８ …イメージセンサ
９ …ケーシング
10 …原稿載置部
11ａ …給送ローラ
11ｂ〜11ｆ …搬送ローラ
12 …プラテンローラ
13 …原稿排出部
14 …白色圧板
15 …ジャンプ台
16 …白色シート部材
17 …先端位置
18 …原稿
21 …感光体ドラム
22 …帯電器
23 …露光手段
24 …現像器
25 …転写帯電器
26 …分離帯電器
27 …クリーナ
28 …搬送部
29 …定着器
30 …排出トレイ
31 …搬送ローラ
【図１】
0004208470.tif 000002
【図２】
0004208470.tif 000003
【図３】
0004208470.tif 000004
【図４】
0004208470.tif 000005
【図５】
0004208470.tif 000006
【図６】
0004208470.tif 000007
【図７】
0004208470.tif 000008
【図８】
0004208470.tif 000009
【図９】
0004208470.tif 000010
【図１０】
0004208470.tif 000011